(57)【特許請求の範囲】
【請求項１】
車体のフロアパネルから上方へ向けてシートマウントブラケットを突設し、前記フロアパネル上面側に敷設されるフロアカーペットに前記シートマウントブラケットと対応するカーペット突出部を突設し、該カーペット突出部に形成したカーペット開口部を介して前記シートマウントブラケットに形成された固定面部とシート側に設けられたシートレッグブラケットの当接面部とを当接させ、前記固定面部と前記当接面部との間をシートアンカー締結手段を用いて締結固定したフロアパネルのシート取付部構造において、
前記カーペット突出部の下部に前記シートマウントブラケットの下部と当接する傾斜を有する位置決め当接部を設けると共に、
該位置決め当接部の上部に前記シートマウントブラケットの上部と離間する急傾斜を有する噛込み防止部を設けたことを特徴とするフロアパネルのシート取付部構造。
【請求項２】
前記カーペット開口部を、前記シートレッグブラケットの当接面部の外形よりも一回り大きく形成したことを特徴とする請求項１記載のフロアパネルのシート取付部構造。
【請求項３】
前記シートレッグブラケットの外縁部に、カーペット開口部の周縁に当接する当接縁部を形成したことを特徴とする請求項１または２記載のフロアパネルのシート取付部構造。
【請求項４】
前記シートレッグブラケットの周囲に、前記カーペット開口部の周縁を覆うシートレッグカバー部材を設けたことを特徴とする請求項１〜３のいずれかに記載のフロアパネルのシート取付部構造。
【発明の詳細な説明】
【０００１】
【発明の属する技術分野】
この発明は、フロアパネルのシート取付部構造に関するものである。
【０００２】
【従来の技術】
自動車などの車体には、フロアパネル部分にシートが取付けられている。
【０００３】
図４は、従来のフロアパネルのシート取付部構造を示すもので、車体のフロアパネル１には上方へ向けてシートマウントブラケット２が突設されている。そして、フロアパネル１上面側に敷設されるフロアカーペット３には前記シートマウントブラケット２と対応するカーペット突出部４が突設されている。
【０００４】
このカーペット突出部４の頂部にはカーペット開口部５が形成されており、カーペット開口部５を介して前記シートマウントブラケット２に形成された固定面部６とシート側に設けられたシートレッグブラケット７とが当接されている。そして、前記固定面部６と前記シートレッグブラケット７との間がシートアンカーボルト８を用いて締結固定されている。更に、前記シートレッグブラケット７の周囲にはシートレッグカバー部材９が設けられている。
【０００５】
この他にも、特開平５−１７８１３４号公報に示すものも知られている。この公報のフロアパネルのシート取付部構造は図５に示すように、シートマウントブラケット１１の上端にシートレッグブラケット７を通すガイド孔１２が形成されていると共に、シートマウントブラケット１１の内部にシートレッグブラケット７と当接するサポートブラケット１３が設けられており、サポートブラケット１３とシートレッグブラケット７との間がシートアンカーボルト８を用いて締結固定されている。
【０００６】
【発明が解決しようとする課題】
しかしながら、このような従来のフロアパネルのシート取付部構造では、以下のような問題があった。
【０００７】
即ち、図４に示すものでは、フロアパネル１に対するフロアカーペット３の位置決め起点が設定されていないため、シートマウントブラケット２に対してカーペット突出部４の位置がズレることなどにより、図６に示すように、シートレッグカバー部材９の端部からカーペット開口部５やシートマウントブラケット２が見えてしまったり、カーペット開口部５の縁部がシートマウントブラケット２とシートレッグブラケット７との間に噛み込まれたりするおそれがある。
【０００８】
しかも、シートレッグブラケット７の当接面部７ａと固定面部６との接触面積は、噛み込みを防止するために大きく設定することが困難であった。
【０００９】
また、特開平５−１７８１３４号公報に示す図５のものでは、フロアパネル１側がシートマウントブラケット１１とサポートブラケット１３との２部品で構成されるため、コストが高く付く。また、サポートブラケット１３を設ける分だけシートマウントブラケット１１の高さ寸法や前後寸法を大きくしなければならないため、見栄えや足元スペースが悪化する。また、フロアカーペット３の取付誤差や寸法誤差などを吸収する構造は備えていない。且つ、見栄えを良くするためのシートレッグカバー部材９なども設けられていない。
【００１０】
そこで、本発明の目的は、上記の問題点を解消し、フロアカーペットの取付誤差や寸法誤差などを吸収し、見栄えを良く仕上げることのできるフロアパネルのシート取付部構造を提供することにある。
【００１１】
【課題を解決するための手段】
上記課題を解決するために、請求項１に記載された発明では、車体のフロアパネルから上方へ向けてシートマウントブラケットを突設し、前記フロアパネル上面側に敷設されるフロアカーペットに前記シートマウントブラケットと対応するカーペット突出部を突設し、該カーペット突出部に形成したカーペット開口部を介して前記シートマウントブラケットに形成された固定面部とシート側に設けられたシートレッグブラケットの当接面部とを当接させ、前記固定面部と前記当接面部との間をシートアンカー締結手段を用いて締結固定したフロアパネルのシート取付部構造において、前記カーペット突出部の下部に前記シートマウントブラケットの下部と当接する傾斜を有する位置決め当接部を設けると共に、該位置決め当接部の上部に前記シートマウントブラケットの上部と離間する急傾斜を有する噛込み防止部を設けたことを特徴としている。
【００１２】
このように構成された請求項１にかかる発明によれば、前記フロアパネル上面側に前記フロアカーペットが敷設されるが、敷設の際に、前記フロアパネルから突設された前記シートマウントブラケットの下部に、前記フロアカーペットから突設された前記カーペット突出部の前記位置決め当接部を位置決めさせるようにする。このようにすることにより、前記フロアパネルと前記フロアカーペットとが正しく位置決めされる。
【００１３】
このように両者が正しく位置決めされた状態で、前記カーペット突出部に形成された前記カーペット開口部を介して、前記シートマウントブラケットの前記固定面部へ、前記シート側に設けられた前記シートレッグブラケットの前記当接面部を当接させ、前記固定面部と当接面部との間を前記シートアンカー締結手段を用いて締結固定させる。
【００１４】
即ち、前記カーペット突出部の下部に前記シートマウントブラケットの下部と当接する傾斜を有する位置決め当接部を設けたので、前記フロアパネルと前記フロアカーペットとを、前記位置決め当接部を起点として正しく位置決めさせることができる。
【００１５】
また、位置決め当接部の上部に前記シートマウントブラケットの上部と離間する急傾斜を有する噛込み防止部を設けたので、前記カーペット開口部の周囲が容易に変形して逃げられるようになる。そのため、前記シートマウントブラケットの前記固定面部と前記シートレッグブラケットの前記当接面部との間を前記シートアンカー締結手段を用いて締結固定させる際に、前記カーペット開口部の周縁部の噛込みを容易に防止させることができる。
【００１６】
請求項２に記載された発明では、前記カーペット開口部を、前記シートレッグブラケットの当接面部の外形よりも一回り大きく形成したことを特徴としている。
【００１７】
このように構成された請求項２にかかる発明によれば、前記カーペット開口部を、前記シートレッグブラケットの前記当接面部の外形よりも一回り大きく形成したので、前記シートマウントブラケットの前記固定面部と前記シートレッグブラケットの前記当接面部との間を前記シートアンカー締結手段を用いて締結固定させる際に、前記カーペット開口部の周縁部の噛込みを容易に防止させることができると共に、前記シートマウントブラケットの前記固定面部と前記シートレッグブラケットの前記当接面部との接触面積を広く確保してシートの取付強度を向上することができる。
【００１８】
請求項３に記載された発明では、前記シートレッグブラケットの外縁部に、カーペット開口部の周縁に当接する当接縁部を形成したことを特徴としている。
【００１９】
このように構成された請求項３にかかる発明によれば、前記シートレッグブラケットの外縁部に、前記カーペット開口部の周縁に当接する当接縁部を形成したので、前記当接縁部が前記カーペット開口部の周縁を当接保持することにより、前記カーペット開口部や前記シートマウントブラケットが外から見えてしまうようなことを確実に防止することができる。且つ、前記カーペット開口部に寸法誤差があった場合でも、前記当接縁部で寸法誤差を吸収させることができる。
【００２０】
請求項４に記載された発明では、前記シートレッグブラケットの周囲に、前記カーペット開口部の周縁を覆うシートレッグカバー部材を設けたことを特徴としている。
【００２１】
このように構成された請求項４にかかる発明によれば、前記シートレッグブラケットの周囲に、前記カーペット開口部の周縁を覆うシートレッグカバー部材を設けたので、見栄えや外観品質を良くすることができる。
【００２２】
【発明の実施の形態１】
以下、本発明の具体的な実施の形態１について、図示例と共に説明する。
【００２３】
図１〜図３は、この発明の実施の形態１を示すものである。
【００２４】
まず、構成を説明すると、この実施の形態１のものでは、車体のフロアパネル２１から上方へ向けてシートマウントブラケット２２が突設される。このシートマウントブラケット２２は、図１の場合、フロアパネル２１の車幅方向２３の両側部にそれぞれ形成された車両前後方向２４へ延びるサイドシル２５に隣接配置されるため、外側壁部分がなく、前壁部２６と、後壁部２７と、内側壁部２８と、上面の固定面部２９とによって構成されている。シートマウントブラケット２２の外側壁部分と下部周縁とにはそれぞれ取付フランジ３０，３１が形成されている。また、シートマウントブラケット２２の前壁部２６と、後壁部２７と、内側壁部２８とは、それぞれ所要の傾斜を有している。更に、固定面部２９にはボルト孔３２が形成されている。
【００２５】
そして、フロアパネル２１上面側に敷設されるフロアカーペット３３には前記シートマウントブラケット２２と対応するカーペット突出部３４が突設される。フロアカーペット３３は、フロアパネル２１と対応する形状を備えており、サイドシル部３５と、フロアトンネル部３６と、リヤフロアパネル部３７と、クロスメンバ部３８とがそれぞれ所要形状に隆起されている。そして、前記カーペット突出部３４は、サイドシル部３５に隣接配置されるため、前壁部３９と、後壁部４０と、内側壁部４１と、上面部４２とを備えている。この上面部４２にはカーペット開口部４３が形成されている。
【００２６】
このカーペット開口部４３を介して前記シートマウントブラケット２２に形成された固定面部２９とシート側（具体的にはシートレール４４）に設けられたシートレッグブラケット４５の当接面部５１とが当接された状態で、固定面部２９と当接面部５１との間がシートアンカーボルト４６（シートアンカー締結手段）を用いて締結固定される。
【００２７】
この実施の形態１では、更に、カーペット突出部３４における後壁部４０および内側壁部４１の下部にシートマウントブラケット２２の後壁部２７および内側壁部２８の下部とそれぞれ当接する傾斜を有する位置決め当接部４７を設けると共に、前記後壁部４０および内側壁部４１の上部にシートマウントブラケット２２の後壁部２７および内側壁部２８の上部とそれぞれ僅かな空隙部４８を有して離間する急傾斜を有する噛込み防止部４９を設けるようにする。そして、カーペット突出部３４における前壁部３９とシートマウントブラケット２２の前壁部２６との間は、上部、下部共に僅かな空隙部５０を有して離間させ得るように構成する。
【００２８】
更に、カーペット開口部４３は、シートレッグブラケット４５の当接面部５１の外形よりも一回り大きくして、当接面部５１の全体を収容し得るようにする。且つ、カーペット開口部４３は、シートマウントブラケット２２の固定面部２９よりも車両前後方向２４の寸法を大きくして固定面部２９のほぼ全体を露呈させ得るようにする。
【００２９】
加えて、シートレッグブラケット４５における当接面部５１の外縁部に、カーペット開口部４３の周縁に当接する当接縁部５２を形成する。この当接縁部５２は、断面ほぼ凹状をしており、当接縁部５２の外側縁部を除いた、前縁部、内側縁部、後縁部に沿ってほぼ環状に設けられている。なお、シートレッグブラケット４５は、当接縁部５２の内側縁部の部分にてシートレール４４に一体化されている。
【００３０】
そして、シートレッグブラケット４５の周囲に、カーペット開口部４３の周縁を覆う樹脂製のシートレッグカバー部材５３を設ける。このシートレッグカバー部材５３は、シートレール嵌着部５４を一体に備えており、シートレール４４に対してシートレール嵌着部５４を車両前後方向２４後方から嵌着することにより、シートレッグカバー部材５３がシートレッグブラケット４５を覆うようにされている。
【００３１】
次に、この実施の形態１の作用について説明する。
【００３２】
フロアパネル２１上面側にフロアカーペット３３が敷設されるが、敷設の際に、フロアパネル２１から突設されたシートマウントブラケット２２の下部に、フロアカーペット３３から突設されたカーペット突出部３４の位置決め当接部４７を位置決めさせるようにする。このようにすることにより、フロアパネル２１とフロアカーペット３３とが正しく位置決めされる。
【００３３】
このように両者が正しく位置決めされた状態で、カーペット突出部３４に形成されたカーペット開口部４３を介して、シートマウントブラケット２２の固定面部２９へ、シート側（具体的にはシートレール４４）に設けられたシートレッグブラケット４５の当接面部５１を当接させ、前記固定面部２９と当接面部５１との間をシートアンカーボルト４６を用いて締結固定させる。
【００３４】
即ち、カーペット突出部３４の後壁部４０および内側壁部４１の下部にシートマウントブラケット２２の後壁部２７および内側壁部２８の下部と当接する傾斜を有する位置決め当接部４７を設けたので、フロアパネル２１とフロアカーペット３３とを、位置決め当接部４７を起点として正しく位置決めさせることができる。
【００３５】
また、カーペット突出部３４の後壁部４０および内側壁部４１の上部にシートマウントブラケット２２の後壁部２７および内側壁部２８の上部と僅かな空隙部４８を有して離間する急傾斜を有する噛込み防止部４９を設けたので、カーペット開口部４３の周囲が容易に変形して後側および内側へ逃げられるようになる。そのため、シートマウントブラケット２２の固定面部２９とシートレッグブラケット４５の当接面部５１との間をシートアンカーボルト４６を用いて締結固定させる際に、カーペット開口部４３の周縁部の噛込みを容易に防止させることができる。且つ、カーペット開口部４３の周囲が容易に変形して後側および内側へ逃げられるようになるので、シートレッグブラケット４５外縁部の当接縁部５２やシートレッグカバー部材５３でカーペット開口部４３の周縁部を押える際に均一な押え代を確保させて、特に後席からの見栄えを良くすることができる。また、カーペット開口部４３を形成する際に型のピアスでカットし易くなるという効果も得られる。
【００３６】
また、カーペット突出部３４における前壁部３９とシートマウントブラケット２２の前壁部２６との間を、上部、下部共に僅かな空隙部５０を有して離間させ得るようにしているので、カーペット開口部４３の周囲が容易に変形して前側へ逃げられるようになる。そのため、シートマウントブラケット２２の固定面部２９とシートレッグブラケット４５の当接面部５１との間をシートアンカーボルト４６を用いて締結固定させる際に、カーペット開口部４３の周縁部の噛込みを容易に防止させることができる。且つ、カーペット開口部４３の周囲が容易に変形して前側へ逃げられるようになるので、シートレッグブラケット４５外縁部の当接縁部５２でカーペット開口部４３の周縁部を押える際に均一な押え代を確保させて、特に後席からの見栄えを良くすることができる。
【００３７】
しかも、カーペット突出部３４は、シートマウントブラケット２２に対して僅かな空隙部４８，５０を有するのみなので、カーペット突出部３４を必要最小限の大きさに抑えることができる。
【００３８】
そして、カーペット開口部４３を、シートレッグブラケット４５の当接面部５１の外形よりも一回り大きく形成したので、シートマウントブラケット２２の固定面部２９とシートレッグブラケット４５の当接面部５１との間をシートアンカーボルト４６を用いて締結固定させる際に、カーペット開口部４３の周縁部の噛込みを容易に防止させることができると共に、シートマウントブラケット２２の固定面部２９とシートレッグブラケット４５の当接面部５１との接触面積を広く確保してシートの取付強度を向上することができる。  更に、シートレッグブラケット４５の外縁部に、カーペット開口部４３の周縁に当接する当接縁部５２を形成したので、当接縁部５２がカーペット開口部４３の周縁を当接保持することにより、シートレッグカバー部材５３などの端部からカーペット開口部４３やシートマウントブラケット２２が見えてしまうようなことを確実に防止することができる。且つ、カーペット開口部４３に寸法誤差があった場合でも、当接縁部５２で寸法誤差を吸収させることができる。
【００３９】
そして、シートレッグブラケット４５の周囲に、カーペット開口部４３の周縁を覆うシートレッグカバー部材５３を設けたので、見栄えや外観品質を良くすることができる。
【００４０】
【発明の効果】
以上説明してきたように、請求項１の発明によれば、カーペット突出部の下部にシートマウントブラケットの下部と当接する傾斜を有する位置決め当接部を設けたので、フロアパネルとフロアカーペットとを、位置決め当接部を起点として正しく位置決めさせることができる。
【００４１】
また、位置決め当接部の上部にシートマウントブラケットの上部と離間する急傾斜を有する噛込み防止部を設けたので、カーペット開口部の周囲が容易に変形して逃げられるようになる。そのため、シートマウントブラケットの固定面部とシートレッグブラケットの当接面部との間をシートアンカー締結手段を用いて締結固定させる際に、カーペット開口部の周縁部の噛込みを容易に防止させることができる。
【００４２】
請求項２の発明によれば、カーペット開口部を、シートレッグブラケットの当接面部の外形よりも一回り大きく形成したので、シートマウントブラケットの固定面部とシートレッグブラケットの当接面部との間をシートアンカー締結手段を用いて締結固定させる際に、カーペット開口部の周縁部の噛込みを容易に防止させることができると共に、シートマウントブラケットの固定面部とシートレッグブラケットの当接面部との接触面積を広く確保してシートの取付強度を向上することができる。
【００４３】
請求項３の発明によれば、シートレッグブラケットの外縁部に、カーペット開口部の周縁に当接する当接縁部を形成したので、当接縁部がカーペット開口部の周縁を当接保持することにより、カーペット開口部やシートマウントブラケットが外から見えてしまうようなことを確実に防止することができる。且つ、カーペット開口部に寸法誤差があった場合でも、当接縁部で寸法誤差を吸収させることができる。
【００４４】
請求項４の発明によれば、シートレッグブラケットの周囲に、カーペット開口部の周縁を覆うシートレッグカバー部材を設けたので、見栄えや外観品質を良くすることができる、という実用上有益な効果を発揮し得る。
【図面の簡単な説明】
【図１】本発明の実施の形態１の分解斜視図である。
【図２】図１のＡ−Ａ線に沿った位置での断面図である。
【図３】図１のＢ−Ｂ線に沿った位置での断面図である。
【図４】従来例の断面図である。
【図５】他の従来例の断面図である。
【図６】図４で、フロアカーペットに噛み込みを起こした状態を示す断面図である。
【符号の説明】
２１  フロアパネル
２２  シートマウントブラケット
２９  固定面部
３３  フロアカーペット
３４  カーペット突出部
４３  カーペット開口部
４５  シートレッグブラケット
４６  シートアンカーボルト（シートアンカー締結手段）
４７  位置決め当接部
４９  噛込み防止部
５１  当接面部
５２  当接縁部
５３  シートレッグカバー部材
【図１】
0003651292.tif 000002
【図２】
0003651292.tif 000003
【図３】
0003651292.tif 000004
【図４】
0003651292.tif 000005
【図５】
0003651292.tif 000006
【図６】
0003651292.tif 000007